(57)【要約】【課題】  保冷用気密容器Ａにおいて、物品を収容するための有効容積を減少させることなく、高い気密度を容器本体１０と蓋２０との嵌合部に与える。また、蓋２０をするときの内圧上昇をも確実に阻止する。【解決手段】  合成樹脂発泡体からなる容器本体１０と容器本体に気密に嵌合する蓋２０とからなる保冷用気密容器Ａにおいて、蓋をするときに容器本体と蓋の間の嵌合面に弾性変形を生じさせて気密性が向上するようにし、かつ、嵌合面のいずれか一方または双方には空気抜きのための縦溝２４を形成する。【選択図】  図３
2005212844.tif 000002
【特許請求の範囲】
【請求項１】
合成樹脂発泡体からなる容器本体と容器本体に気密に嵌合する蓋とからなる保冷用気密容器であって、
蓋をするときに容器本体と蓋の間の嵌合面に弾性変形が生じて気密性が向上するようになっており、かつ、嵌合面のいずれか一方または双方には空気抜きのための縦溝が形成されていることを特徴とする保冷用気密容器。
【請求項２】
合成樹脂発泡体からなる容器本体と蓋とからなり、蓋はその周側壁の内周面が容器本体の側壁上縁側に気密に外嵌合する形状であり、蓋を側壁上縁側に圧入した状態で容器本体の内部は実質的に外気から遮断した状態とされる保冷用気密容器であって、
容器本体と蓋とが気密に嵌合する２面のいずれか一方面はほぼ垂直面であり、他方面は傾斜を有する面となっていて、蓋を圧入するときに前記２面のいずれか一方または双方に弾性変形が生じることにより２面間の気密性が向上するようになっており、かつ、前記２面のいずれか一方または双方には空気抜きのための縦溝が形成されていることを特徴とする保冷用気密容器。
【請求項３】
容器本体は側壁上縁側に全周にわたる段差部を有しており、該段差部の外側周面が蓋と気密に嵌合する面とされていることを特徴とする請求項１または２に記載の保冷用気密容器。
【発明の詳細な説明】
【技術分野】
【０００１】
本発明は合成樹脂発泡体で作られた保冷用気密容器に関し、特に、アイスクリーム容器のように高い断熱性を必要とし、そのために、物品収容空間を外気から高い気密度で遮断することが求められる形態の保冷用気密容器に関する。
【背景技術】
【０００２】
合成樹脂発泡体で作られた保冷容器は知られており、軽量であり所要の断熱性を持つことから食品類の保管や物流の用途に広く用いられている。アイスクリーム容器などのように特に高い断熱性を必要とする場合には、対策として、壁厚の厚い容器とする、あるいは容器本体と蓋との間の気密性を高くして容器内部空間に外気が侵入するのを一層確実に阻止する、などの手段が講じられる。
【０００３】
壁厚の厚い容器とすると、物品収容空間の有効容積が犠牲となるので、自ずと限度がある。そのために、容器本体と蓋との嵌合部を二重嵌合構造として、嵌合部の気密性を高くする手段が並行して採用されることが多い。一方において、容器本体と蓋との嵌合部の気密性を高くすると、蓋をするときに容器の内圧が上昇して蓋がし難くなる。場合によっては、蓋をした後で、内圧により蓋が浮き上がり気密性が破壊されることもある。
【０００４】
それを回避するために、特許文献１（実公平６−４７７８８号公報）には、容器本体と蓋との嵌合部を二重嵌合構造とすると共に、嵌合部の側壁部に排気路を形成したものが記載されている。この構成とすることにより、容器内部の空気は排気路を通って外に逃げることができるので、蓋をするときに内圧が上昇することはない。そのために、閉蓋作業は容易となり、閉蓋後の蓋の浮き上がりも阻止できる。
【０００５】
【特許文献１】実公平６−４７７８８号公報
【発明の開示】
【発明が解決しようとする課題】
【０００６】
特許文献１に記載される気密容器のように、気密性の向上を目的に容器本体と蓋との嵌合部を二重嵌合構造としたものは、嵌合部の形状が複雑となり、成形が困難となることがある。また、嵌合部を構成する各壁は薄いものとならざるを得ず、繰り返し使用する通い箱のような場合、使用の途中で嵌合部に破損が生じやすい。それを回避するためには全体の壁厚を厚くすることが必要となるが、前記のように有効容積の減少を招く。
【０００７】
本発明は、上記のような事情に鑑みてなされたものであり、物品を収容するための有効容積を減少させることなく、高い気密度を容器本体と蓋との嵌合部に与えることができ、かつ、蓋をするときの内圧上昇をも確実に阻止することのできる、より改良された合成樹脂発泡体製の保冷用気密容器を提供することを目的とする。
【課題を解決するための手段】
【０００８】
本発明による保冷用気密容器は、合成樹脂発泡体からなる容器本体と容器本体に気密に嵌合する蓋とからなる保冷用気密容器であって、蓋をするときに容器本体と蓋の間の嵌合面に弾性変形が生じて気密性が向上するようになっており、かつ、嵌合面のいずれか一方または双方には空気抜きのための縦溝が形成されていることを特徴とする。
【０００９】
上記保冷用気密容器では、蓋をする、すなちわ蓋を容器本体に圧入するときに、容器本体と蓋の間の嵌合面のいずれか一方または双方に積極的に弾性変形を生じさせ、それにより、嵌合面の密着性を向上させて、嵌合面の気密性を向上させるようにしている。そのために、二重嵌合構造とすることなく、高い気密度を嵌合面に形成することができるので、嵌合部の構造を簡素化することができ、繰り返し使用にも十分耐えることのできる保冷用気密容器が得られる。また、全体の壁厚も通常の保冷用気密容器と同様の厚さで十分であり、物品収容空間を犠牲にすることもない。さらに、嵌合面には空気抜きのための縦溝が形成されているので、内圧を上昇させることなく、容易に蓋をすることができる。なお、本発明による保冷用気密容器は全体が合成樹脂発泡体からなり、弾性変形した部分は蓋を外して放置することにより、ほぼもとの姿勢に復帰する。そのために、繰り返し使用しても、所要の気密性は確保される。また、空気抜きのための（内圧を抜くための）縦溝は、少なくとも１個は必要であるが、複数個が形成されていてもよい。
【００１０】
本発明による保冷用気密容器のより具体的な態様は、合成樹脂発泡体からなる容器本体と蓋とからなり、蓋はその周側壁の内周面が容器本体の側壁上縁側に気密に外嵌合する形状であり、蓋を側壁上縁側に圧入した状態で容器本体の内部は実質的に外気から遮断した状態とされる保冷用気密容器であって、容器本体と蓋とが気密に嵌合する２面のいずれか一方面はほぼ垂直面であり、他方面は傾斜を有する面となっていて、蓋を圧入するときに前記２面のいずれか一方または双方に弾性変形が生じることにより２面間の気密性が向上するようになっており、かつ、前記２面のいずれか一方または双方には空気抜きのための縦溝が形成されていることを特徴とする。
【００１１】
上記態様の保冷用気密容器では、ほぼ垂直面とされた嵌合面のエッジ部が傾斜を有する面の該傾斜面を押し付けるように移動して、一方あるいは双方に弾性変形を生じさせるので、圧入が一層容易となると共に、弾性変形後の２つの面は気密度がきわめて高いものとなる。傾斜面は一律な傾斜の斜面であってもよいが、嵌入方向での入口側はほぼ垂直な面あるいは傾斜の緩やかな面とし、嵌合終了部に近い箇所で大きな傾斜を持つ形状とすることにより、圧入の容易性と高い気密性の双方をより確実に達成することができる。さらに、２つの面の一方または双方には空気抜きのための縦溝が形成されているので、内圧を上昇させることなく、容易に蓋をすることができる。
【００１２】
上記の保冷用気密容器において、容器本体の側壁上縁側に全周にわたる段差部を形成し、該段差部の外側周面が蓋と気密に嵌合する面とすることもできる。この態様では、蓋をした状態で容器の側面を平坦な面とすることができる利点がある。
【００１３】
容器本体および蓋を構成する合成樹脂発泡体としては、ポリスチレン樹脂、スチレンを主体とする共重合体などのスチレン系樹脂発泡体、ポリオレフィン系樹脂発泡体、ポリエステル系樹脂発泡体などを例示することができる。
【発明の効果】
【００１４】
本発明によれば、物品を収容するための有効容積を減少させることなく、高い気密度を容器本体と蓋との嵌合部に与えることができ、かつ、蓋をするときの内圧上昇をも確実に阻止することのできる保冷用気密容器が得られる。
【発明を実施するための最良の形態】
【００１５】
以下、図面を参照して本発明を実施の形態により説明する。図１は本発明による保冷用気密容器の一例を示す断面図であり、図２は蓋を裏面から見た斜視図である。図３は図１の領域ａを拡大して示しており、図３ａは蓋を閉める前の状態を、図３ｂは蓋を閉めた後の状態を示している。
【００１６】
保冷用気密容器Ａは容器本体１０と蓋２０とからなり、共に発泡ポリスチレンのような合成樹脂発泡体の成形品である。容器本体１０は４周の側壁１１を持ち上方を開放した箱形容器であり、その上縁には全周にわたって内側への切り欠き１２が形成され、それにより、上方に突き出た段差部１３が形成されている。後記するように、この段差部１３の外側周面１４が蓋２０の内周面２１と気密に嵌合する面とされる。容器本体１０の底面には水切りと冷気の循環路を兼ねた多数の凹凸１５が形成されており、図示しないが、側壁１１の内周面にも冷気の循環路として凹溝が形成されていてもよい。
【００１７】
この例において、前記段差部１３の外側周面１４は、図３ａに拡大して示すように、上方領域（すなわち、蓋２０が入り込む側の一定領域）１４ａはほぼ垂直な面とされており、それに続く下方領域１４ｂは外側に傾斜のついた面とされている。そして、下方領域１４ａの下端側は、前記切り欠き１２を形成する水平面１２ａに連続状に接続している。
【００１８】
蓋２０は容器本体１０の側壁１１の外郭形状と同じ外郭形状であり、その周側壁２１の内側裏面には凹所２２が形成されている。この例において、凹２２は垂直な内周面２３を有し、該内周面２３は容器本体１０の前記段差部１３の外側周面１４と気密な状態で外嵌合する嵌合面を形成する。すなわち、内周面２３の内法寸法と、容器本体１０の段差部１３の外側周面１４におけるほぼ垂直な上方領域１４ａの外法寸法とは同じ寸法とされており、蓋２０をするときに、最初は、容器本体１０の前記垂直な上方領域１４ａと蓋２０の前記内周面２３とは密接した状態となる。
【００１９】
また、蓋２０の内周面２３には少なくとも１個の縦溝２４（図示の例では、各辺にそれぞれ１個の計４個）が形成されており、該縦溝２４は凹所２２の天面にまで達している。
【００２０】
容器本体１０に例えばアイスクリームを収容し、必要な場合にはドライアイスのような適宜の冷媒も収容した後、蓋２０をする。前記のように、容器本体１０の前記垂直な上方領域１４ａと蓋２０の前記内周面２３とは密接した状態となるので、蓋２０を押し下げると容器の内圧は上昇しようとする。しかし、蓋２０の内周面２３には縦溝２４が形成されているで、容器内の空気は該縦溝２３を通って外に逃げることができるので、蓋２０をするときの内圧の上昇は生じない。
【００２１】
蓋２０をさらに下方に押し下げると、その側壁２１の下端面２５の内周縁（エッジ部）は、次第に容器本体１０の前記段差部１３の外側周面１４における外側に傾斜した下方領域１４ｂに入り込む。その状態でさらに押し下げると、蓋２０の内周面２３側と前記容器本体１０の下方領域１４ｂの双方（またはいずれか一方）は弾性変形を起こし、図３ｂにその一例を示すような状態となって、弾性変形後の２つの面は一層緊密に密着する。そして、縦２０の前記下端面２５が容器本体１０の前記切り欠き１２を形成する水平面１２ａに衝接することにより、蓋閉めは完了する。本発明による保冷用気密容器では、蓋をするときに上記のような弾性変形を強制的に生じさせるので、嵌合部を２重構造とするような複雑な手段を講じることなく、容器内の気密度がきわめて高いものとなる。そのような弾性変形が生じる過程でも、縦溝２３は空気の逃げ道として機能を継続するので、内圧が上昇するのは依然として阻止される。
【００２２】
なお、図示の例は１つの実施の形成であって、他に多くの変形例が存在する。例えば、縦溝２４は蓋２０の内周面２３に形成したが、容器１０の前記段差部１３の外側周面１４に形成しても、同じ作用効果が得られる。場合よっては、位置が一致しないようにして両方に形成してもよい。また、蓋２０の内周面２３を垂直面としたが、この面を外側に開いた傾斜面とし、容器１０の前記段差部１３の外側周面１４を垂直面としてもよい。
【図面の簡単な説明】
【００２３】
【図１】本発明による保冷用気密容器の一例を示す断面図。
【図２】蓋を裏面から見た斜視図。
【図３】図１の領域ａを拡大して示しており、図３ａは蓋を閉める前の状態を、図３ｂは蓋を閉めた後の状態を示している。
【符号の説明】
【００２４】
Ａ…保冷用気密容器、１０…容器本体、１１…４周の側壁、１２…切り欠き、１３…段差部、１４…段差部の外側周面、１５…多数の凹凸、１４ａ…外側周面の上方領域、１４ｂ…外側周面の下方領域、１２ａ…切り欠きを形成する水平面、２０…蓋、２１…周側壁、２２…凹所、２３…内周面、２４…縦溝
【図１】
2005212844.tif 000003
【図２】
2005212844.tif 000004
【図３】
2005212844.tif 000005